(57)【要約】【課題】  衣服をハンガーに掛ける要領で衣服の悪臭を簡単に除去することができ、加えて、消臭機能を長期間にわたって保持できる新規な消臭ハンガーカバーを提供する。【解決手段】  木綿繊維、麻繊維又はレーヨン繊維にメタクリル酸をグラフト共重合反応させたものであって、繊維に対するメタクリル酸のグラフト化率が７〜１５重量パーセントである改質セルロース繊維よりなる布又は不織布の消臭シート１を、ハンガー本体３の肩幅方向の長さより大きい幅の袋状に成形し、その一端を開いた状態で他端を閉じ、その他端の中央にハンガーのフック２が通る挿通孔を形成して、ハンガーを袋状の消臭シートの開いた一端より内側に入れ、ハンガーのフック２を他端の挿通孔を通して外側に突出させる。【選択図】  図１
2010017223.tif 000002
【特許請求の範囲】
【請求項１】
木綿繊維、麻繊維又はレーヨン繊維にメタクリル酸をグラフト共重合反応させたものであって、繊維に対するメタクリル酸のグラフト化率が７〜１５重量パーセントである改質セルロース繊維よりなる布又は不織布の消臭シートを、ハンガー本体の肩幅方向の長さより大きい幅の袋状に成形し、その一端を開いた状態で他端を閉じ、その他端の中央にハンガーのフックが通る挿通孔を形成して、ハンガーを袋状の消臭シートの開いた一端より内側に入れ、ハンガーのフックを他端の挿通孔を通して外側に突出させるようにしたことを特徴とする消臭ハンガーカバー。
【発明の詳細な説明】
【技術分野】
【０００１】
この発明は、消臭ハンガーカバーに係り、特に、衣服に付着した体臭に起因するアンモニア臭、酢酸臭或いはイソ吉草酸臭等の悪臭を除去できる消臭ハンガーカバーに関する。
【背景技術】
【０００２】
ハンガーは、通常、衣服を掛けた状態で衣裳箪笥に収納するから、本来ハンガーカバーなる概念は無い。
【０００３】
但し、狭義のハンガーカバーとして、クリーニング店が客にクリーニングされた衣服を手渡すとき、ハンガーに掛けた衣服を覆う薄い透明なシートをハンガーカバーと称することがある。
【０００４】
本発明に係る消臭ハンガーカバーは従来に無いものであるから、これに係る特許文献も非特許文献も、本発明者等が知る限り存在しない。
【特許文献１】特許第３２３９１４６号に係る特許公報
【発明の開示】
【発明が解決しようとする課題】
【０００５】
本発明は、新規な消臭ハンガーカバーに関するもので、衣服をハンガーに掛けた状態で衣裳箪笥等に収納することにより、或いはフック等に掛けて室内空間に暫く置くことにより衣服に付着した体臭に起因する悪臭を除去できる消臭ハンガーカバーを提供することを目的としている。
【課題を解決するための手段】
【０００６】
上記の目的を達成するため、本発明は、木綿繊維、麻繊維又はレーヨン繊維にメタクリル酸をグラフト共重合反応させたものであって、繊維に対するメタクリル酸のグラフト化率が７〜１５重量パーセントである改質セルロース繊維よりなる布又は不織布の消臭シートを、ハンガー本体の肩幅方向の長さより大きい幅の袋状に成形し、その一端を開いた状態で他端を閉じ、その他端の中央にハンガーのフックが通る挿通孔を形成して、ハンガーを袋状の消臭シートの開いた一端より内側に入れ、ハンガーのフックを他端の挿通孔を通して外側に突出させるようにしたことを特徴とする。
【発明の効果】
【０００７】
上記のように構成されたこの発明による消臭ハンガーカバーは、ハンガーカバーの内側に例えばズボンを、外側にジャケット、或いは和服、羽織等の衣服を掛けて衣裳ダンスに収納し、又は室内に設けたフック等に掛けて室内空間に暫く置く。
【０００８】
すると、体臭に起因する悪臭であるアンモニアガス（尿臭）、イソ吉草酸ガス（足臭）、或いは酢酸ガス（酸っぱい臭い）が消臭材の繊維に共重合されたメタクリル酸と反応して臭わない物質に変化するので、衣服の悪臭が速やかに除去される。
【０００９】
但し、体臭以外の臭い、例えばタバコ、香水或いは化学薬品等の臭いは消臭されない。
【００１０】
また、メタクリル酸は繊維の表面に塗布されるのではないので、上記悪臭ガスと反応して生成された無臭の物質は、それのみが消臭材の洗濯、或いは揉み洗い等により容易に除去され、このようにして消臭機能が洗濯により賦活される。この賦活は、多数回行うことができる。
【発明を実施するための最良の形態】
【００１１】
消臭材として木綿繊維、麻繊維又はレーヨン繊維にメタクリル酸をグラフト共重合反応させたものであって、繊維に対するメタクリル酸のグラフト化率が７〜１５重量パーセントである改質セルロース繊維を採用し、これを一端が開いた袋状にしてハンガーに装着し、ハンガーカバーの内側及び／又は外側に衣服を掛けることにより、悪臭物質を良く吸着して効率良く衣服の消臭を行わせるばかりでなく、消臭材を洗濯により賦活させることができるようにした。
【実施例１】
【００１２】
以下、図面を参照してこの発明の実施例を説明する。
図１において符号１は袋状の消臭シートを示し、この消臭シート１は後述のように構成された改質セルロース繊維よりなる布又は不織布を、袋状に成形し、その一端（図１で下端）を開いた状態で他端を閉じ、その他端の中央にハンガーのフック２が通る付番しない挿通孔を形成したものである。
【００１３】
図示の実施例における消臭シートは、その袋の幅（図１で左右方向の寸法）をハンガー本体３の肩幅方向（図１で左右方向）の長さより大きく、例えば約４５０粍（４５０ｍｍ）程度に、また、図１で上下方向の寸法を５００ｍｍ以上に設定されている。
【００１４】
また、この消臭シート１の材質は、前記したように、木綿繊維、麻繊維又はレーヨン繊維にメタクリル酸をグラフト共重合反応させたものであって、繊維に対するメタクリル酸のグラフト化率が７〜１５重量パーセントである改質セルロース繊維である。
【００１５】
上記改質セルロース繊維の構成及び製造方法については、前記特許文献１に詳細に記載されていて周知であるから、ここでは更に詳細な説明は省略する。
【００１６】
更にまた、上記消臭シート１の下端開口端縁、及び挿通孔の開口端縁は、繊維が解れないように糸でかがることが望ましい。
【００１７】
上記のように構成されたこの発明の一実施例による消臭ハンガーカバーは、例えば図１に示すように、消臭シート１の内側のハンガーの横棒４にズボンを掛け、或いは、図２に示すように、消臭シート１の外側にジャケット６を掛けて使用する。
【００１８】
この場合、消臭シート１の内側にズボン５を、外側に更にジャケット６を掛けても良い。
【００１９】
また、図３に示すように、消臭シート１を長くして、和服７を掛けるようにしても良い。
【００２０】
ここで使用するとは、ハンガーを洋服ダンスの中に収納する、或いは室内の壁面に装着したフックにハンガーを掛けることをいうものとする。
【００２１】
そして、本発明による消臭ハンガーカバーの消臭メカニズムは前記した通りであるが、その公的検査機関によるガスの除去性能評価試験の一例を揚げると、アンモニアガスの除去性能評価試験では、アンモニア濃度（ｐｐｍ）の初発濃度１００ｐｐｍが２時間後には０．５ｐｐｍ以下となり、減少率は９９パーセント以上で、これは消臭材の１００回の洗濯後でも殆ど同じである。
【００２２】
ちなみに、ブランク（空試験）では、初発濃度１００ｐｐｍが２時間後でも７４ｐｐｍであった。
【００２３】
同じく酢酸ガスの除去性能評価試験では、初発濃度５０ｐｐｍが２時間後０．９ｐｐｍなのに対し、洗濯１０回後では、初発濃度５０ｐｐｍが２時間後０．６ｐｐｍで、洗濯によって逆に性能が良くなったという結果が得られた。
【００２４】
なお、上記二つの検査例における消臭材の、前記改質セルロース繊維の混紡率は４０〜５０パーセントである。
【００２５】
また、本発明による消臭シートの消臭効果は、前記アンモニアガス、イソ吉草酸ガス、或いは酢酸ガスに対してのみならず、トリメチルミンガス、ピリジンガス或いはインドールガス等に対しても例えば消臭率９９パーセント以上と極めて有効である。
【図面の簡単な説明】
【００２６】
【図１】この発明の一実施例による消臭ハンガーカバーの一の使用状態を示す外観斜視図。
【図２】この発明の一実施例による消臭ハンガーカバーの他の使用状態を示す外観斜視図。
【図３】この発明の他の実施例による消臭ハンガーカバーの一の使用状態を示す外観斜視図。
【符号の説明】
【００２７】
１  消臭シート
２  ハンガーのフック
３  ハンガー本体
４  横棒
５  ズボン
６  ジャケット
７  和服
【図１】
2010017223.tif 000003
【図２】
2010017223.tif 000004
【図３】
2010017223.tif 000005